【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
音声通信が可能な第一の伝送端末と第二の伝送端末を含む複数の伝送端末とセッションを管理する管理システムとを含む伝送システムであって、
前記管理システムは、
前記第一の伝送端末と前記第二の伝送端末の間で確立されるセッションを管理するセッション管理手段と、
前記第一の伝送端末と前記第二の伝送端末が前記セッションによって画像及び音声を送信している際に前記第二の伝送端末において画像の通信が停止された場合に、前記第二の伝送端末の画像の通信状態を示す情報を前記第一の伝送端末へ送信する第一の送信手段と、を備え、
前記第一の伝送端末は、
前記セッションによって画像及び音声を送信する第二の送信手段と、
前記第一の送信手段によって送信された前記第二の伝送端末の画像の通信状態を示す情報を受信する受信手段と、
前記第二の送信手段によって画像及び音声を送信中に、前記第一の伝送端末が画像を通信中であることを示す状態を表示画面に表示させる表示制御手段と、を有し、
前記表示制御手段は、前記受信した前記第二の伝送端末の画像の通信状態を示す情報に基づいて、前記第二の伝送端末からの画像の通信が停止中であることを示す状態を前記表示画面に表示させる
ことを特徴とする伝送システム。
【請求項２】
請求項１に記載の伝送システムであって、
前記セッション管理手段が管理する前記第一の伝送端末と前記第二の伝送端末の間で確立されるセッションは第一のセッションであり、
前記セッション管理手段はさらに、前記第一の伝送端末と音声通信が可能であって画像通信機能を有しない第三の伝送端末の間で確立される第二のセッションを管理し、
前記第一の送信手段はさらに、前記第一の伝送端末と前記第三の伝送端末が前記第二のセッションによって音声を通信中であって、前記第一の伝送端末が画像通信中の場合に、画像通信を停止させる旨を示す情報を前記第一の伝送端末へ送信し、
前記第一の伝送端末はさらに、
前記受信手段によって受信した前記第一の送信手段によって送信された画像通信を停止させる旨を示す情報に基づいて、自端末からの画像通信を停止させる通信停止手段を有することを特徴とする伝送システム。
【請求項３】
請求項２に記載の伝送システムであって、
前記第一の伝送端末は、
被写体を撮像して前記画像通信の対象となる画像データを得る撮像手段に対して、前記受信手段によって受信した画像通信を停止させる旨を示す情報に基づき、前記撮像を停止させる制御手段をさらに有することを特徴とする伝送システム。
【請求項４】
請求項１乃至３の何れか一項に記載の伝送システムであって、
前記第一の伝送端末は、
前記第一の送信手段によって送信された表示メッセージを消去させる旨の情報を前記受信手段によって受信し、
前記表示制御手段は、前記表示メッセージを消去させる旨の情報に基づいて、前記表示画面に表示されている所定の表示メッセージを消去させることを特徴とする伝送システム。
【請求項５】
請求項１乃至４の何れか一項に記載の伝送システムであって、
前記表示制御手段は、前記第一の伝送端末が画像を通信中であることを示す状態をアイコンによって前記表示画面に表示させることを特徴とする伝送システム。
【請求項６】
請求項５に記載の伝送システムであって、
前記表示制御手段は、前記第一の伝送端末のカメラの電源がオンされて前記第一の伝送端末から画像を通信中であることを示す状態を第一のアイコンによって前記表示画面に表示させ、前記第一の伝送端末のカメラの電源がオフされて前記第一の伝送端末から画像を通信中でないことを示す状態を前記第一のアイコンと異なる第二のアイコンによって前記表示画面に表示させることを特徴とする伝送システム。
【請求項７】
請求項６に記載の伝送システムであって、
前記第一の伝送端末は、前記第二のアイコンの押下を受け付けることによって、前記画像の通信を開始し、前記第二のアイコンから前記第一のアイコンへ表示を変更することを特徴とする伝送システム。
【請求項８】
請求項１乃至７の何れか一項に記載の伝送システムであって、
前記表示制御手段は、前記第二の伝送端末からの画像の通信が停止中であることを示す状態をメッセージ表示によって前記表示画面に表示させることを特徴とする伝送システム。
【請求項９】
請求項１乃至８の何れか一項に記載の伝送システムであって、
前記表示制御手段は、前記第一の伝送端末が画像を通信中であることを示す状態をメッセージ表示によって前記表示画面に表示させることを特徴とする伝送システム。
【請求項１０】
前記画像の通信はビデオ会議で使用される画像の通信であることを特徴とする請求項１乃至９の何れか一項に記載の伝送システム。
【請求項１１】
音声通信が可能な第一の伝送端末と第二の伝送端末の間で確立されるセッションを管理するセッション管理手段と、前記第一の伝送端末と前記第二の伝送端末が前記セッションによって画像及び音声を送信している際に前記第二の伝送端末において画像の通信が停止された場合に、前記第二の伝送端末の画像の通信状態を示す情報を前記第一の伝送端末へ送信する第一の送信手段と、を有する管理システムとネットワークを介して接続される第一の伝送端末であって、
前記セッションによって画像及び音声を送信する第二の送信手段と、
前記第一の送信手段によって送信された前記第二の伝送端末の画像の通信状態を示す情報を受信する受信手段と、
前記第二の送信手段によって画像及び音声を送信中に、前記第一の伝送端末が画像を通信中であることを示す状態を前記表示画面に表示させる表示制御手段と、を有し、
前記表示制御手段は、前記受信した前記第二の伝送端末の画像の通信状態を示す情報に基づいて、前記第二の伝送端末からの画像の通信が停止中であることを示す状態を前記表示画面に表示させることを特徴とする第一の伝送端末。
【請求項１２】
音声通信が可能な第一の伝送端末及び第二の伝送端末を含む複数の伝送端末と、セッションを管理する管理システムとを含む伝送システムが実行する伝送方法であって、
前記管理システムは、
前記第一の伝送端末と前記第二の伝送端末の間で確立されるセッションを管理するセッション管理手段を有し、
前記第一の伝送端末と前記第二の伝送端末が前記セッションによって画像及び音声を送信している際に前記第二の伝送端末において画像の通信が停止された場合に、前記第二の伝送端末の画像の通信状態を示す情報を前記第一の伝送端末へ送信する第一の送信ステップを実行し、
前記第一の伝送端末は、
前記セッションによって画像及び音声を送信する第二の送信ステップと、
前記第一の送信ステップによって送信された前記第二の伝送端末の画像の通信状態を示す情報を受信する受信ステップと、
前記第二の送信ステップによって画像及び音声を送信中に、前記第一の伝送端末が画像を通信中であることを示す状態を表示画面に表示させる表示制御ステップと、を実行し、
前記表示制御ステップは、前記受信した前記第二の伝送端末の画像の通信状態を示す情報に基づいて、前記第二の伝送端末からの画像の通信が停止中であることを示す状態を前記表示画面に表示させる処理を含むことを特徴とする伝送方法。
【請求項１３】
音声通信が可能な第一の伝送端末及び第二の伝送端末の間で確立されるセッションを管理するセッション管理手段と、前記第一の伝送端末と前記第二の伝送端末が前記セッションによって画像及び音声を送信している際に前記第二の伝送端末において画像の通信が停止された場合に、前記第二の伝送端末の画像の通信状態を示す情報を前記第一の伝送端末へ送信する第一の送信手段とを有する管理システムに対して、ネットワークを介して接続される前記第一の伝送端末が実行する表示方法であって、
前記セッションによって画像及び音声を送信する第二の送信ステップと、
前記第一の送信手段によって送信された前記第二の伝送端末の画像の通信状態を示す情報を受信する受信ステップと、
前記第二の送信ステップによって画像及び音声を送信中に、前記第一の伝送端末が画像を通信中であることを示す状態を前記表示画面に表示させる表示制御ステップと、を実行し、
前記表示制御ステップは、前記受信した前記第二の伝送端末の画像の通信状態を示す情報に基づいて、前記第二の伝送端末からの画像の通信が停止中であることを示す状態を前記表示画面に表示させる処理を含むことを特徴とする表示方法。
【請求項１４】
コンピュータに、請求項１３に記載の方法を実行させるプログラム。
【手続補正２】
【補正対象書類名】明細書
【補正対象項目名】発明の名称
【補正方法】変更
【補正の内容】
【発明の名称】伝送システム、第一の伝送端末、伝送方法、表示方法及びプログラム
【手続補正３】
【補正対象書類名】明細書
【補正対象項目名】０００５
【補正方法】変更
【補正の内容】
【０００５】
請求項１に係る発明は、音声通信が可能な第一の伝送端末と第二の伝送端末を含む複数の伝送端末とセッションを管理する管理システムとを含む伝送システムであって、前記管理システムは、前記第一の伝送端末と前記第二の伝送端末の間で確立されるセッションを管理するセッション管理手段と、前記第一の伝送端末と前記第二の伝送端末が前記セッションによって画像及び音声を送信している際に前記第二の伝送端末において画像の通信が停止された場合に、前記第二の伝送端末の画像の通信状態を示す情報を前記第一の伝送端末へ送信する第一の送信手段と、を備え、前記第一の伝送端末は、前記セッションによって画像及び音声を送信する第二の送信手段と、前記第一の送信手段によって送信された前記第二の伝送端末の画像の通信状態を示す情報を受信する受信手段と、前記第二の送信手段によって画像及び音声を送信中に、前記第一の伝送端末が画像を通信中であることを示す状態を表示画面に表示させる表示制御手段と、を有し、前記表示制御手段は、前記受信した前記第二の伝送端末の画像の通信状態を示す情報に基づいて、前記第二の伝送端末からの画像の通信が停止中であることを示す状態を前記表示画面に表示させることを特徴とする伝送システムである。
【手続補正４】
【補正対象書類名】明細書
【補正対象項目名】０００６
【補正方法】変更
【補正の内容】
【０００６】
請求項１１に記載の発明は、音声通信が可能な第一の伝送端末と第二の伝送端末の間で確立されるセッションを管理するセッション管理手段と、前記第一の伝送端末と前記第二の伝送端末が前記セッションによって画像及び音声を送信している際に前記第二の伝送端末において画像の通信が停止された場合に、前記第二の伝送端末の画像の通信状態を示す情報を前記第一の伝送端末へ送信する第一の送信手段と、を有する管理システムとネットワークを介して接続される第一の伝送端末であって、前記セッションによって画像及び音声を送信する第二の送信手段と、前記第一の送信手段によって送信された前記第二の伝送端末の画像の通信状態を示す情報を受信する受信手段と、前記第二の送信手段によって画像及び音声を送信中に、前記第一の伝送端末が画像を通信中であることを示す状態を前記表示画面に表示させる表示制御手段と、を有し、前記表示制御手段は、前記受信した前記第二の伝送端末の画像の通信状態を示す情報に基づいて、前記第二の伝送端末からの画像の通信が停止中であることを示す状態を前記表示画面に表示させることを特徴とする第一の伝送端末である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】